【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
外面に対して防水状態を提供するドア装置（１）であって、
主領域（２ａ）を画定する主支持面（２）と、
休止位置と防水位置との間で動作方向（Ｄ）に移動する主スパー（１０）と、
くさび形の端部（３１）を含み、前記くさび形の端部（３１）が当該くさび形の端部（３１）の尖った頂点に位置付けられた第１閉鎖点（３２）を含む、第１主閉鎖要素（３）と、
くさび形の端部（４１）を含み、前記くさび形の端部（４１）が当該くさび形の端部（４１）の尖った頂点に位置付けられた第２閉鎖点（４２）を含む、第２主閉鎖要素（４）であって、当該第１閉鎖点（３２）および当該第２閉鎖点（４２）が、当該第１閉鎖点（３２）と当該第２閉鎖点（４２）との間の距離である閉鎖間隙を画定する、第２主閉鎖要素（４）と、
各々が第１端部（５１）および第２端部（５２）を有する第１連結要素（５）であって、各第１連結要素（５）が、前記第１端部（５１）において、前記主スパー（１０）に枢動可能に取り付けられている、第１連結要素（５）と、
各々が第１端部（６１）および第２端部（６２）を有する第２連結要素（６）であって、各第２連結要素（６）が、前記第１端部（６１）において、１つの第１連結要素（５）の前記第２端部（５２）に枢動可能に取り付けられるとともに、前記第２端部（６２）において、前記第１主閉鎖要素（３）に枢動可能に取り付けられている、第２連結要素（６）と、
各々が第１端部（７１）および第２端部（７２）を有する第３連結要素（７）であって、各第３連結要素（７）が、前記第１端部（７１）において、前記主スパー（１０）に枢動可能に取り付けられている、第３連結要素（７）と、
各々が第１端部（８１）および第２端部（８２）を有する第４連結要素（８）であって、各第４連結要素（８）が、前記第１端部（８１）において、１つの第３連結要素（７）の前記第２端部（７２）に枢動可能に取り付けられるとともに、前記第２端部（８２）において、前記第２主閉鎖要素（４）に枢動可能に取り付けられている、第４連結要素（８）と、
複数の一次案内要素（９１、９２）であって、前記第２連結要素（６）の各々が、時計回り方向において前記動作方向（Ｄ）に対する第１の一次案内角度（δ１）を形成するように方向付けられた第１群の一次案内要素（９１）の１つに接触し、前記第４連結要素（８）の各々が、反時計回り方向において前記動作方向（Ｄ）に対する第２の一次案内角度（δ２）を形成するように方向付けられた第２群の一次案内要素（９２）の１つに接触するように、各々が主支持面（２）に取り付けられた複数の一次案内要素（９１、９２）と、
補助閉鎖くさび（１１１）を含む横断要素（１１）であって、補助閉鎖くさび（１１１）が側部を含み、２つの前記側部が前記動作方向（Ｄ）に対する第１くさび角度（β１）および第２くさび角度（β２）をそれぞれ形成し、他の側部が接地する側部である、横断要素（１１）と、
第１の二次案内要素（９３）および第２の二次案内要素（９４）であって、前記二次案内要素（９３、９４）が、前記横断要素（１１）を案内し、前記第１の二次案内要素（９３）の各点における接線が、反時計回り方向において前記動作方向（Ｄ）に対する第１の二次案内角度（α１）を形成し、前記第２の二次案内要素（９４）の各点における接線が、時計回り方向において前記動作方向（Ｄ）に対する第２の二次案内角度（α２）を形成する、第１の二次案内要素（９３）および第２の二次案内要素（９４）と、を備え、
前記主スパー（１０）の前記休止位置では、前記第１主閉鎖要素（３）および前記第２主閉鎖要素（４）が前記主領域（２ａ）内に配置され、
前記休止位置と前記防水位置との間の主スパー（１０）の移動に沿って、各第２連結要素（６）の移動が第１群の一次案内要素（９１）の１つによって、当該一次案内要素（９１）の方向に制限され、各第４連結要素（８）の移動が第２群の一次案内要素（９２）の１つによって、当該一次案内要素（９２）の方向に制限され、前記第１主閉鎖要素（３）および前記第２主閉鎖要素（４）が前記主領域（２ａ）から退出し、
前記主スパー（１０）が前記防水位置にあるとき、前記閉鎖間隙は前記補助閉鎖くさび（１１１）の前記接地する側部の長さに等しく、
前記二次案内要素（９３、９４）が前記横断要素（１１）を案内し、前記補助閉鎖くさび（１１１）が、前記主領域から退出し、前記第１主閉鎖要素（３）の前記くさび形の端部（３１）と、前記第２主閉鎖要素（４）の前記くさび形の端部（４１）との両方に当接し、前記第１主閉鎖要素（３）の前記くさび形の端部（３１）は、前記第１くさび角度（β１）に等しい前記動作方向（Ｄ）に対する第１閉鎖角度を形成し、前記第２主閉鎖要素（４）の前記くさび形の端部（４１）は、前記第２くさび角度（β２）に等しい前記動作方向（Ｄ）に対する第２閉鎖角度を形成し、
前記第１の二次案内角度（α１）が前記第１くさび角度（β１）以下であり、前記第２の二次案内角度（α２）が前記第２くさび角度（β２）以下である、ドア装置（１）。
【請求項２】
前記第１の一次案内角度（δ１）が前記第２の一次案内角度（δ２）に等しく、前記第１くさび角度（β１）が前記第２くさび角度（β２）に等しく、前記第１の二次案内角度（α１）が前記第２の二次案内角度（α２）に等しい、請求項１に記載のドア装置（１）。
【請求項３】
前記第１の二次案内要素（９３）が前記第１主閉鎖要素（３）に取り付けられ、前記第２の二次案内要素（９４）が前記第２主閉鎖要素（４）に取り付けられ、前記主スパー（１０）が前記休止位置と前記防水位置との間を移動するときに、前記二次案内要素（９３、９４）が前記横断要素（１１）を案内する、請求項１または２に記載のドア装置（１）。
【請求項４】
前記二次案内要素（９３、９４）が前記主支持面（２）に取り付けられ、前記第１の二次案内角度（α１）および前記第２の二次案内角度（α２）が０に等しく、
前記ドア装置（１）は、前記補助閉鎖くさび（１１１）が前記第１主閉鎖要素（３）の前記くさび形の端部および前記第２主閉鎖要素（４）の前記くさび形の端部の両方に当接する位置に前記横断要素（１１）を移動させる第１操作要素を更に備える、請求項１または２に記載のドア装置（１）。
【請求項５】
前記主スパー（１０）を前記休止位置と前記防水位置との間で移動させる第２操作要素を更に備える、請求項１乃至４のいずれか一項に記載のドア装置（１）。
【請求項６】
前記第１主閉鎖要素（３）および前記第２主閉鎖要素（４）並びに前記補助閉鎖くさび（１１１）の少なくとも一部が、耐水材料で作られている、請求項１乃至５のいずれか一項に記載のドア装置（１）。
【請求項７】
前記第１主閉鎖要素（３）および前記第２主閉鎖要素（４）は、各々が長尺アーム（３３、４３）および短尺アーム（３４、４４）を含む実質的にＬ字形であり、前記長尺アーム（３３、４３）は互いに実質的に平行に配置され、前記短尺アーム（３４、４４）は互いに向き合って方向付けられている、請求項１乃至６のいずれか一項に記載のドア装置（１）。
【請求項８】
前記第１主閉鎖要素（３）および前記第２主閉鎖要素（４）は、前記主スパー（１０）が前記休止位置にあるとき、前記長尺アーム（３３、４３）および前記短尺アーム（３４、４４）が、矩形である前記主領域（２ａ）の縁部に位置付けられるように、配置されている、請求項７に記載のドア装置（１）。
【請求項９】
前記第１主閉鎖要素（３）および前記第２主閉鎖要素（４）および前記補助閉鎖くさび（１１１）は、シール要素（１０１、１０４）を含む、請求項１乃至８のいずれか一項に記載のドア装置（１）。
【請求項１０】
前記主支持面（２）に実質的に平行な副支持面（２１）を更に備え、
前記主スパー（１０）、前記第１連結要素（５）、前記第２連結要素（６）、前記第３連結要素（７）、前記第４連結要素（８）、前記一次案内要素（９１、９２）、前記第１の二次案内要素（９３）および前記第２の二次案内要素（９４）は、前記主支持面（２）と前記副支持面（２１）との間に配置されている、請求項１乃至９のいずれか一項に記載のドア装置（１）。
【請求項１１】
請求項１乃至１０のいずれか一項に記載のドア装置（１）を備えるドア。
【請求項１２】
請求項１乃至１０のいずれか一項に記載のドア装置（１）または請求項１１に記載のドアを備える防水システムであって、
防水性を提供するためのスロット組立体を更に備え、
前記スロット組立体は、前記ドア装置（１）の前記第１主閉鎖要素（３）および第２主閉鎖要素（４）並びに補助閉鎖くさび（１１１）を少なくとも部分的に収容する、防水システム。
【請求項１３】
前記ドア装置は、請求項７または８に記載のドア装置であり、
前記スロット組立体は、３つのスロット（１２１、１２２、１２３）を含み、
第１スロット（１２１）は、前記第１主閉鎖要素（３）の前記長尺アーム（３３）の少なくとも一部を収容し、
第２スロット（１２２）は、前記第２主閉鎖要素（４）の前記長尺アーム（４３）の少なくとも一部を収容し、
第３スロット（１２３）は、前記第１主閉鎖要素（３）の前記短尺アーム（３４）の少なくとも一部、前記第２主閉鎖要素（４）の前記短尺アーム（４４）の少なくとも一部および前記補助閉鎖くさび（１１１）の少なくとも一部を収容する、請求項１２に記載の防水システム。
【請求項１４】
前記スロット組立体は、請求項１乃至９のいずれか一項に記載のドア装置（１）の前記第１主閉鎖要素（３）および前記第２主閉鎖要素（４）並びに前記補助閉鎖くさび（１１１）を収容し、
前記スロット組立体は、前記主スパー（１０）が前記防水位置にあるとき、前記ドア装置（１）の前記第１主閉鎖要素（３）および前記第２主閉鎖要素（４）および前記補助閉鎖くさび（１１１）に接触するように配置された第３シール要素（１０２）を含む、請求項１２または１３に記載の防水システム。
【請求項１５】
防水ドアを提供する方法であって、
請求項１乃至１０のいずれか一項に記載のドア装置（１）を提供する工程と、
前記ドア装置（１）をドアに取り付ける工程と、を備える、方法。